(57)【要約】【課題】殊に放射される光の色が素子の作動中に容易に調整可能である、素子によって放射される光のスペクトル分布を伴う発光電子素子を提供すること。【解決手段】発光電子素子であって、所定のスペクトル分布を有する光を放射するための少なくとも１つの発光エレメントと、所定のスペクトル分布を有する光のビーム路内に配置された少なくとも１つのフィルタエレメントを含み、所定のスペクトル分布を有する光に関する前記フィルタエレメントの透過特性は、前記発光素子によって放射される光のスペクトル分布を定める形式のものにおいて、前記フィルタエレメントの透過特性は前記発光電子素子の作動中に調整可能である、ことを特徴とする発光電子素子。【選択図】図１
2005340823.tif 000002
【特許請求の範囲】
【請求項１】
発光電子素子であって、
所定のスペクトル分布を有する光を放射するための少なくとも１つの発光エレメントと、
所定のスペクトル分布を有する光のビーム路内に配置された少なくとも１つのフィルタエレメントを含み、
所定のスペクトル分布を有する光に関する前記フィルタエレメントの透過特性は、前記発光素子によって放射される光のスペクトル分布を定める形式のものにおいて、
前記フィルタエレメントの透過特性は、前記発光電子素子の作動中に調整可能である、ことを特徴とする発光電子素子。
【請求項２】
前記素子によって放射される光の色は、前記フィルタエレメントの透過特性を調整することによって調整可能である、請求項１記載の素子。
【請求項３】
前記発光エレメントは少なくとも１つの光電エレメントを含む、請求項１記載の素子。
【請求項４】
前記発光エレメントは少なくとも１つの有機発光材料を含む、請求項１記載の素子。
【請求項５】
前記発光エレメントは有機発光ダイオードストラクチャを含む、請求項１記載の素子。
【請求項６】
前記フィルタエレメントの透過特性は電気的に調整可能である、請求項１記載の素子。
【請求項７】
前記フィルタエレメントは、少なくとも１つのエレクトロクロミック材料を含む、請求項１記載の素子。
【請求項８】
前記エレクトロクロミック材料は少なくとも１つの無機材料を含む、請求項７記載の素子。
【請求項９】
前記無機材料はタングステンオキサイドである、請求項８記載の素子。
【請求項１０】
前記エレクトロクロミック材料は少なくとも１つの有機材料を含む、請求項７記載の素子。
【請求項１１】
前記発光エレメントとフィルタエレメントは、共通の積層体に集積されている、請求項１記載の素子。
【請求項１２】
前記発光エレメントとフィルタエレメントは、共通のハウジング内に配置されている、請求項１記載の素子。
【請求項１３】
前記発光エレメントとフィルタエレメントは、前記発光素子の作動中に相互に独立して操作される、請求項１記載の素子。
【請求項１４】
前記発光エレメントとフィルタエレメントは、前記発光素子の作動中に共通に操作される、請求項１記載の素子。
【発明の詳細な説明】
【技術分野】
【０００１】
本発明は、発光電子素子であって、所定のスペクトル分布を有する光を放射するための少なくとも１つの発光エレメントと、所定のスペクトル分布を有する光のビーム路内に配置された少なくとも１つのフィルタエレメントを含み、所定のスペクトル分布を有する光に関する前記フィルタエレメントの透過特性は、前記発光素子によって放射される光のスペクトル分布を定める形式の発光電子素子に関する。
【背景技術】
【０００２】
今日、発光電子素子（殊に光電素子）は、しばしば固有の顧客要求に応じて有色光を放射するために製造される（カラーオンデマンド）。
【０００３】
この目的のために、比較的広いスペクトル分布を有する発光電子素子（例えば適切な白色源）がしばしば使用される。カラーフィルタによって、素子によって放射される光の色が、顧客の要望に合わせて製造される。発光電子素子の「顧客の注文に合わされた」色は完全に、カラーフィルタの吸収特性と組み合わされた、素子によって放射される光のスペクトル分布によって定められる。このようなフィルタの吸収特性は通常は、例えば使用される色素によって固定されているので、電子素子によって放射される光の色を変えるのは顧客にとって困難である。
【発明の開示】
【発明が解決しようとする課題】
【０００４】
従って本発明の課題は、殊に放射される光の色が素子の作動中に容易に調整可能である、素子によって放射される光のスペクトル分布を伴う発光電子素子を提供することである。
【課題を解決するための手段】
【０００５】
上述の課題は、フィルタエレメントの透過特性が発光電子素子の作動中に調整可能であることを特徴とする発光電子素子によって解決される。本発明の有利な改善は、従属請求項に記載されている。
【発明を実施するための最良の形態】
【０００６】
本発明に相応する発光電子素子は、所定のスペクトル分布を有する光を放射するための少なくとも１つの発光エレメントと、所定のスペクトル分布を有する光のビーム路内に配置された少なくとも１つのフィルタエレメントを含み、所定のスペクトル分布を有する光に関する前記フィルタエレメントの透過特性は、発光素子によって放射される光のスペクトル分布を定める形式のものにおいて、フィルタエレメントの透過特性は発光電子素子の作動中に調整可能である。
【０００７】
フィルタエレメントの透過特性を調整するまたは変えることによって有利には結果として、素子の作動中に発光素子によって放射される光のスペクトル分布を変えることが可能になる。フィルタエレメントの透過特性の調整は有利には、リバーシブルである。
【０００８】
このようにして、電子素子によって放射される光の色は、フィルタエレメントの透過特性を変える手段によって、有利には継続的に調整可能または変化可能である。このようにして種々異なる色または色のニュアンスが、単独の発光電子素子によって実現される。
【０００９】
本発明では、用語「色」は純粋な色または混合された色を指し、殊に白も指す。純粋に色付けされた光はＣＩＥ色度ダイアグラムにおいて色座標ｘおよびｙを有しており、これはこのダイアグラムの境界線上の点を指す。混合されて色付けされた光は、この境界線によって制限された領域内部に色座標を有する。
【００１０】
所定のスペクトル分布は有利には、広い帯域幅または広いスペクトル分布を、殊に有利には可視スペクトル領域において有している。これによって結果として、素子によって発光される光の種々異なる色を実現する機会が得られる。これは、単独の所定のスペクトル分布の光を、種々異なる透過特性および／または調整特性を有するフィルタエレメントと組み合わせて使用することによって実現される。
【００１１】
さらに有利には所定のスペクトル分布は本質的に連続形状を有している。
【００１２】
所定のスペクトル分布に対して、赤，緑および／または青のスペクトル領域における帯域を有するのは殊に有利である。このような帯域を重畳することによって、有利には連続的なおよび／または適切なレベルの幅広さを有する所定のスペクトル分布が得られる。例えば、所定のスペクトル分布は白または僅かな色合いを有する白を生じさせる。
【００１３】
本発明の第１の有利な実施例では、発光エレメントは少なくとも１つの光電エレメントを有する。これは、少なくとも１つの機能材料または機能層におけるエレクトロルミネセンスによって光を放射する。光電エレメントは例えばＬＥＤストラクチャ（発光ダイオード）またはＯＬＥＤストラクチャ（殊に有機発光ダイオードである有機発光デバイス）に相応して形成されてもよい。ＯＬＥＤストラクチャは有利には少なくとも１つの有機発光材料を含む。
【００１４】
本発明に相応するフィルタエレメントが発光エレメントのピーク波長および／または優位な波長を調整するまたは変化させるために使用されてもよい。殊に発光エレメントは比較的狭い所定のスペクトル分布を有しており、これは例えば、しばしばナノメートルのオーダー（例えば２０ｎｍ〜６０ｎｍ）でのスペクトル幅を有する単独帯域放射スペクトルを示すシングルチップＬＥＤエレメントである。
【００１５】
本発明の第２の有利な実施形態では、フィルタエレメントの透過特性が電気的に調整される。このフィルタエレメントは電圧駆動型または電流駆動型エレメントであり、例えば種々異なる電流、電流密度または電圧がこのフィルタエレメントに印加され、この結果、フィルタエレメントの透過特性が、有利には明瞭に変化する。本発明に相応する発光電子素子によって照明されるディスプレイの色が、電気的にフィルタエレメントと接続されている外部ターミナルを介して外部的に調整されるまたは変えられてもよい。
【００１６】
殊に、モノクロームディスプレイ、またはエリアカラーディスプレイ（例えば部分的なカラー自己放射型ＯＬＥＤディスプレイ、またはＬＣＤ）の色が、フィルタエレメントの透過特性を調整することによって調整されるまたは変えられる。部分的なカラー自己放射型ＯＬＥＤディスプレイは通常は、ディスプレイの種々異なるエリアにおいて種々異なる色を示すディスプレイとして理解される。種々異なるエリアの色は通常は、ディスプレイの各エリアにおいて、例えばＯＬＥＤによって放射される光の色によって固定されているおよび／または定められている。
【００１７】
本発明の有利な改善に相応したフィルタエレメントは、少なくとも１つのエレクトロクロミック材料を有する。エレクトロクロミック材料は次のような透過特性を有している。すなわちこのエレクトロクロミック材料に注入された電流および／またはエレクトロクロミック材料に印加された電圧に依存する透過特性を有する。
【００１８】
エレクトロクロミック材料は有利には、可視スペクトル領域において比較的高い透過性が示されるように選択される。この透過性は電気的に調整可能である。エレクトロクロミック材料の透過性における局部的な極大値または大域的な極大値は、より高い波長またはより低い波長に電気的にシフト可能である。透過性極大値をより低い波長へシフトさせることによって結果的に、より高い波長の領域（例えば赤またはオレンジのスペクトル領域）における吸収が増大する。これに相応して、透過性極大値をより高い波長へシフトさせることによって結果的に、より低い波長の領域（例えば青のスペクトル領域）における吸収が増大する。
【００１９】
エレクトロクロミック材料は有利には少なくとも１つの無機材料または少なくとも１つの有機材料を含む。無機エレクトロクロミック材料は例えば酸化金属（例えばタングステンオキサイド）を含む。有機エレクトロクロミック材料は、例えば少なくとも１つのポリチオフェンまたは他のポリマー材料を含む。有機材料に対しては、ＰＥＤＯＴを含む（ポリエチレンジオキシチオフェン）のは殊に有利である。
【００２０】
本発明の他の実施形態では発光エレメントおよびフィルタエレメントは共通のストラクチャ、有利には共通の積層体内に集積される。これによって殊に小さいおよび／またはコンパクトな発光電子素子を構成するのが容易になる。
【００２１】
本発明の有利な改善では、発光エレメントおよび／またはフィルタエレメントはハウジング内に配置される。このハウジングは例えば、ＬＥＤまたはＯＬＥＤパッケージ、カプセル部および／または密封手段を含む、またはＬＥＤまたはＯＬＥＤパッケージ、カプセル部および／または密閉手段から成る。密封手段は殊に、有機発光材料を含む発光エレメントに対して有効である。有機材料はしばしば、湿気または酸化剤に関して非常に敏感であるので、密封手段によって保護されるのが有利であろう。ハウジングは有利には、発光エレメントおよび／またはフィルタエレメントを保護する。共通のハウジング内に配置されるのは、フィルタエレメントおよび発光タエレメントにとって殊に有利である。
【００２２】
本発明の他の有利な実施形態では、発光電子素子は、発光エレメントおよび／またはフィルタエレメントに導電性接続されている電気的接続リード線を含む。このリード線は外部ターミナルに導電性に接続されており、これによって電子的（有利にはマイクロエレクトロニック）および／または光電的な素子が外部から操作される。例えば電子素子を回路基板上に取り付けた後および／またはこの素子を例えばＬＣＤディスプレイハウジング内のＬＣＤディスプレイの照明、または自動車のルーフパネルの照明に対するアプリケーションに統合させた後に操作される。
【００２３】
発光エレメントおよびフィルタエレメントは発光素子の作動中に、相互に独立してまたは共通に操作される。
【００２４】
前者の目的のために、フィルタエレメントおよび発光エレメントは有利には電気的に相互に絶縁されているおよび／または電気的接触接続に対する別個の手段を有している。
【００２５】
後者の目的のために、フィルタエレメントおよび発光エレメントは、有利には相互に導電性に接続されているおよび／または共通の電極を有する。この電極は有利には発光エレメントとフィルタエレメントの間に配置されている。この電極はフィルタエレメントおよび発光エレメントとともに共通の積層体内に配置されてもよい。共通の電極はフィルタエレメントおよび発光エレメントを作動させるために使用される。
【００２６】
本発明のさらなる利点および発展形態を、図面に相応して、実施形態の説明に関連して説明する。
【実施例】
【００２７】
図１には本発明に相応する発光電子素子の第１の実施形態の概略的な断面図が示されている。
【００２８】
発光電子素子１はウィンドウ２およびウィンドウ２上に配置されている第１の電極３を有している。第１の電極３には発光層４が続き、この発光層は第１の電極３と導電性に接続されている。第２の電極５が、この発光層４上に配置されており、この発光層４と導電性に接続されている。さらにカプセル部６が、有害な環境の影響から発光層をより強固に保護するために設けられている。
【００２９】
フィルタエレメントは、発光エレメントと反対の方向でウィンドウ２上に配置されている。このフィルタエレメントは、ウィンドウ上に配置された第１のコンタクト７と、第１のコンタクトと導電性に接続されたフィルタ層８と、このフィルタ層上に配置されており、このフィルタ層と導電性に接続されている第２のコンタクト９とを有している。この第２のコンタクトは順々に担体１０上に配置されている。
【００３０】
発光エレメントは発光層４と電極３，５を有しており、この発光エレメントは例えばＯＬＥＤストラクチャに相応して形成されてもよい、および／または発光層４は有機発光材料を含むまたは有機発光材料から成ってもよい。例えば発光層は有機ポリマー材料、例えばポリスピロ（polyspiro）材料を含み得る。
【００３１】
発光層は、少なくとも１つの付加的な発光層および／または他の付加的な層を含む積層体に配置されていてもよい。有機発光層の場合には、この積層体は有利には、例えば付加的に正孔輸送層を含む有機積層体として形成される。この正孔輸送層は有利には、発光層に注入される正孔の効率を上昇させることによって、殊に発光層において有機積層体における光生成の効率を上昇させる。発光層では、電子と正孔が再結合し、エレクトロルミネセンスによって光を生成する。
【００３２】
担体１０およびウィンドウ２はそれぞれまたは個々に有利には、本質的に透過性および／または電気的に絶縁性の材料を含む。これは例えばガラス材料またはフレキシブルな基板材料であり、例えばＰＥＳ（ポリエーテルスルホン）またはＰＥＴ（ポリエチレンテレフタラート）である。担体１０およびウィンドウ２は、有利には同じ材料を含む。ウィンドウ２は、発光層において生成された所定のスペクトル分布の光に対するウィンドウとして機能し、ウィンドウ２上に配置された発光エレメントストラクチャを機械的に安定させる担体として機能する。
【００３３】
担体１０は、有利には、コンタクト７，９およびフィルタ層８を含むフィルタエレメントに対する担体として機能し、フィルタエレメント担体１０上に配置された発光エレメントストラクチャのために相応に発光素子１を機械的に安定させる担体として機能する。殊に有利には担体１０はフィルタエレメントを保護する。付加的な保護手段（例えば密封手段またはカプセル部）がフィルタエレメントに対して設けられてもよい。しかしこれは図示されていない。
【００３４】
電極３，５および／またはコンタクト７，９は、例えば透明材料を含むまたは透明材料から成る。これは有利にはＴＣＯ材料（透明導電性酸化物）、例えばＩＴＯ（インジウム・スズ酸化物）である。
【００３５】
カプセル部６は適切な材料から成る。これは例えば、有機発光デバイスの領域において既知である有機材料に対する適切な密封材料である。
【００３６】
フィルタ層８は有利には少なくとも１つの無機エレクトロクロミック材料、例えばＷＯ３を含むまたはこれから成る。
【００３７】
発光層４においてエレクトロルミネセンスを介して生成される所定のスペクトル分布の光は、電極３、ウィンドウ２および第１のコンタクト７，フィルタ層８，第２のコンタクト９および担体１０を通じて放射される。フィルタ層８に電圧を印加することによってフィルタ層８に注入される電流が生じ、フィルタ材料の透過特性が変化する。透過特性におけるこの変化は結果的に、電子素子１によって放射される光１１のスペクトル分布を変化させる。
【００３８】
有利には所定のスペクトル分布の光は白色光、または適切な幅の広いスペクトル分布を有する他の色の光である。白色光は例えば、有機発光材料内に設けられた適切な発色団によって放射された種々異なる波長の光を混ぜることによって得られる。青の波長領域で放射するポリスピロ材料の場合には、赤および緑の発色団がコポリマーストラクチャ内に統合され、これらの基本色（例えば赤，緑および青）を混ぜることで発光エレメントの白色光放射が実現される。
【００３９】
電子素子によって放射される光のスペクトル分布および／または色は、フィルタ材料の透過特性を電気的に変えることまたは調整することによって影響される。
【００４０】
電子素子によって放射される光の強さは、フィルタエレメントの適切な形成によって影響される。殊にフィルタ層８の厚みは光の吸収を定め、従ってフィルタエレメントを通じて透過される強さを定める。このようにしてフィルタエレメントは発光電子素子の様々な実施形態の特有の要望に合わせられる。
【００４１】
所定のスペクトル分布の光の強さは、発光エレメントが駆動される電流密度を変えることによっても影響される。電流密度を低減させることは通常、発光層内で生成される光の強さを低減させることに相当する。このようにして電子素子によって放射される光の強さが変えられる。
【００４２】
発光エレメントおよびフィルタエレメントは独立して、それぞれ電極３，５およびコンタクト７，９によって作動される。コンタクト７，９および電極３，５は、ウィンドウ２によって相互に絶縁されている。電子素子１によって放射される光１１の輝度および色座標は独立して調節または調整可能である。輝度は電極３，５を介して発光エレメントの作動電流を調節することによって調節または調整され、色座標は、コンタクト７，９を介してフィルタエレメントによって調節または調整される。
【００４３】
この実施形態では発光エレメントは従来の発光電子素子に相応して形成されており、フィルタエレメントは外部的な方法で、すなわち例えば発光エレメントストラクチャの外部に設けられている。この発光エレメントストラクチャはカプセル部内側または発光エレメントのウィンドウ上に配置されている。これによって、比較的高い可変性が発光エレメントのアプリケーションにおいて得られる。なぜならフィルタエレメントは発光エレメントの製造が完了した後に設けられるからである。
【００４４】
図４には、ＷＯ３含有フィルタエレメントの、波長λからの、相対的な透過性Ｔの依存性が量的に、２つの異なる電圧に対して示されている。この相対的な透過性は、透過性における相応の極大値で１の値に正規化されている。
【００４５】
グラフ１２は、コンタクト７，９に０電圧が印加されている場合の、ＷＯ３含有フィルタエレメントの透過性を示している。グラフ１２に示された透過性は、可視スペクトル領域において約０．６または０．６を上回る比較的高い値を有しており、緑または黄色の領域において殊に高い値を有し、約５５０ｎｍで極大値を有する。
【００４６】
グラフ１３は、５Ｖの電圧が印加され、フィルタエレメントを通じて電流が流れている場合の、ＷＯ３含有フィルタエレメントの透過性を示している。グラフ１２と比べて、グラフ１３において透過性は可視スペクトル領域、殊にオレンジおよび赤のスペクトル領域において格段に低い。約６００ｎｍを上回る波長に対して透過性は５０％またはそれ以上低い。グラフ１３における透過性極大値は約４６０ｎｍのところに位置する。
【００４７】
適切な幅の広いスペクトル分布を有する、本質的に純粋な白色光（例えば適切な発色団を有する有機ポリスピロコポリマー発光層におけるエレクトロルミネセンスによって生成された白色光）の場合には、グラフ１２の透過特性を有するフィルタエレメントを通って透過され、緑および黄のスペクトル領域における透過された光の量は可視スペクトル領域外青および赤と比べて好ましい。この結果、透過される初期の本質的に純粋な白色は、緑がかった、黄色がかった色合いを伴う白色を有する。
【００４８】
電子素子（例えば図１に示された電子素子）によって放射される光の色は、図４に示されたような透過特性を有するＷＯ３エレクトロクロミックフィルタ層８に０電圧が印加されている場合には、図５に示されているＣＩＥ色度ダイアグラムでは点１２０によってあらわされる。点１２０は座標ｘ＝０．３１およびｙ＝０．３９を有する。これは黄または緑の色合いを有する白色光に相当する。
【００４９】
純粋な白色光は、白い点１４によって示される。これは境界線１５によって制限されているＣＩＥ色度ダイアグラムにおいて座標ｘ＝ｙ＝１／３を有する。三角形１５０の内部領域または三角形１５０の境界線上の色は、この三角形の角に相応する座標を有する２つまたは３つの色を使用することによって混ぜられる。
【００５０】
電圧が０Ｖから５Ｖに上昇すると、電子素子によって放射される光が、矢印によって示されたように変化し、その色座標は連続的に点１２０から、点１２１、点１２２、点１２３を介して、点１３０に達する。点１３０は、色座標ｘ＝０．２６およびｙ＝０．３３を有しており、青緑色の色合いを有する白としてあらわれる。これはグラフ１３に相応して、赤およびオレンジのスペクトル領域において吸収がより高いことに起因する。
【００５１】
電子素子１によって放射される光の色座標は、本発明に相応して変えられる。本発明に相応した電子素子が周辺光源として使用される場合、周辺光の色が調整される。例えばＷＯ３がエレクトロクロミックフィルタ材料として使用される場合、発光層によって放射された初期の白色光の色が変えられ、比較的寒色の青緑色の色合いを有する白色から、比較的暖色の黄色または緑色の色合いを有する白色に変わる、およびその逆に変わる。従って単独の周辺光発光電子素子が、雰囲気に起因して種々異なる周辺光を生じさせるのに使用される。寒色光は、例えば殊に職場の照明として有効であり、従業員の仕事の効率を高める。これに対して暖色光はむしろ余暇の雰囲気に適する。
【００５２】
フィルタエレメントの透過特性は電気的かつリバーシブルに変えられるので、素子によって放射される光は異なる色の間で切り換えられるおよび／または連続的に調整される。電子素子によって放射される光の強さも、発光エレメントの動作電流を介して付加的に影響される。この結果、発光素子は色調整可能かつ減光可能になる。
【００５３】
図２には、本発明の第２の実施例の概略的な断面図が示されている。この実施例は、図１に示された実施例と類似している。図１の実施例と比較して、図２に相応する実施例では、発光層４およびフィルタ層８が共通の積層体内に集積されている。これによって、発光素子は小さくかつコンパクトな形状に製造される。
【００５４】
フィルタ層８および発光層４は、相互に別個に形成され、各製造の完了後に合わせられてもよい。発光層とフィルタ層の間には絶縁層１６が配置されており、これは電極３，５およびコンタクト７，９を電気的に相互に絶縁させる。従って発光エレメントおよびフィルタエレメントは、別個に作動される。
【００５５】
絶縁層１６は、例えばシリコンオキサイド（ＳｉＯｘ）またはチタニウム−シリコンオキサイド（ＴｉＳｉＯｘ）を含む、またはこれから成り、ｘは有利には値、殊に有利には正数値を有しており、条件１≦ｘ≦４を満たす。
【００５６】
積層体はウィンドウ２によって機械的に安定され、カプセル部６によって保護される。
【００５７】
フィルタエレメントと発光エレメントを共通の積層体内に集積させることによって、フィルタエレメントと発光エレメントを共通の保護手段、例えばカプセル部６によって保護することが容易になる。
【００５８】
図３には、本発明の第３の実施例の概略的な断面図が示されている。この実施例は図１および図２に示された実施例と類似している。図３の実施例では、共通電極１７がフィルタ層８と発光層４の間に配置されており、これと導電性に接続されている。発光エレメントは、第２の電極５と共通電極１７によって操作される。フィルタエレメントの透過特性は、共通電極１７および第２のコンタクト９を介してフィルタエレメントに電極を印加することによって変えられる。共通電極１７（例えば有機発光ダイオードストラクチャのアノード）とコンタクト９との間の電気的ポテンシャルにおける差は、コンタクト９での電気的なポテンシャルを適切に変えることによって調整される。
【００５９】
この実施例に相応する発光素子は、３つの外部電極とともに形成され、これらによって操作される。発光エレメント用の２つは、第２の電極５および共通電極１７に接続され、１つのターミナルはフィルタエレメントの透過特性を電気的に調整するために第２のコンタクト９に接続されている。図１および図２の実施例と比べて、１つの外部電気ターミナル、すなわち図１および２に示された第１のコンタクト７に接続されたターミナルは省かれる。
【００６０】
図６には、本発明に相応する発光電子素子の第４の実施例の概略的な断面図が示されている。
【００６１】
発光電子素子は少なくとも１つのＬＥＤチップ１８を有している。これは有利には少なくとも１つの半導体材料、殊に有利にはＩＩＩ−Ｖ−半導体材料および／または結晶質半導体材料を有しており、このＬＥＤチップはハウジング２２の凹部２４内に配置されている。このハウジングは例えばプラスチック材料を含む。ＬＥＤチップは、例えば導電性接着剤またははんだ付けによって、ＬＥＤチップをリード２０上に適切に取り付けるおよび／または固定し、ボンディングワイヤ２３を導電性にリード２１に接続することでリード２０，２１と導電性に接続されている。凹部２４の壁部２５は反射増強材料、例えば金属によって完全にまたは部分的に覆われている。従って発光エレメントは、表面実装型デバイス（ＳＭＤ）に相応して形成されていてもよく、例えばリード２０，２１によって回路基板上に取り付け可能である。
【００６２】
エレクトロルミネセンスによってＬＥＤチップ１８において生成された光１１ａおよび１１ｂは、フィルタエレメント１９を透過した後に素子１によって放射される。フィルタエレメントはコンタクト７，９および、例えばエレクトロクロミック材料を含むフィルタ層８を含む。光１１ｂは、フィルタエレメントに入射する前に、凹部２４の壁部２５で反射される。フィルタ層８の透過特性は、フィルタ層に導電性に接続されているリード２６および２７を介して電気的に調節される。
【００６３】
発光エレメントによって生成される所定のスペクトル分布の光は、有利には本質的に白または混合された色である。
【００６４】
白色光は例えば、有利には共通のハウジング内に配置されたおよび／または例えば赤、緑および青のスペクトル領域において放射する複数のＬＥＤチップによって放射された光を適切に混ぜることで生成される。ＬＥＤチップに対して、各ＬＥＤチップの個々の操作を可能にする別個のリードを有するのは殊に有利である。
【００６５】
白色光は、単独のＬＥＤチップによって放射される第１の波長の光の一部を、凹部内に配置された適切なルミネセンス変換材料（例えばケイ光体材料）によってより長い波長の光へルミネセンス変換することを通じても生成される。これらの２つの光を混ぜることによって、白色光が結果として生じる。この目的のために、ＬＥＤチップに対しては、青または紫外スペクトル領域において放射するのは有利であり、変換材料によって再放射された光に対しては、黄色またはオレンジ色のスペクトル領域内にあるのは有利である。
【００６６】
フィルタエレメントは層状に発光エレメントのハウジング２２上に、有利には機械的に固定されて配置されている。発光エレメントおよびフィルタエレメントは独立して、それぞれリード２０，２１および２６，２７に接続されているターミナルによって作動される。凹部は部分的にまたは完全に、ＬＥＤチップの保護を高めるために保護材料（例えばシリコーン）によって満たされる。ルミネセンス変換が行われる場合には、この保護材料は有利には同時に、材料内にまたは材料上に配置されるルミネセンス変換粒子に対するキャリア材料として形成される。
【００６７】
本発明の保護範囲は上述した実施例に制限されるものではない。本発明は、新たな各特徴および、特に特許請求の範囲に記載されたあらゆる特徴的構成の各組み合わせを含むこれらの特徴の組み合わせによって実現される（たとえこのような特徴的構成または、これらの特徴的構成の組み合わせが、特許請求の範囲または実施例に明確に記載されていなくても）。
【００６８】
殊に、本発明に相応する発光電子素子は、１つより多いフィルタエレメントを含んでいてもよい。発光エレメントは、例えば２つの層状のフィルタエレメントの間に配置されていてもよく、または複数のフィルタエレメントが、発光エレメントによって放射される光のビーム路内に連続的に配置されていてもよい。さらにフィルタ材料は層状に設けられていなくてもよく、他の形状、例えば、有利には電気的に調整可能なフィルタ粒子の透過特性を有するフィルタ材料の粒子を伴い、液体によって適切に設けられていてもよい。
【図面の簡単な説明】
【００６９】
【図１】本発明に相応する発光電子素子の第１の実施形態の概略的な断面図
【図２】本発明に相応する発光電子素子の第２の実施形態の概略的な断面図
【図３】本発明に相応する発光電子素子の第３の実施形態の概略的な断面図
【図４】２つの異なる電圧に対するフィルタエレメントの透過性の波長依存性のダイアグラム
【図５】フィルタエレメントの透過特性を調整した結果としての、本発明に相応する電子素子によって放射された光の色における変化を、ＣＩＥ色度ダイアグラムで示した図
【図６】本発明に相応する発光電子素子の第４の実施形態の概略的な断面図
【符号の説明】
【００７０】
１  発光素子、  ２  ウィンドウ、  ３  第１の電極、  ４  発光層、  ５  第２の電極、  ６  カプセル部、  ７  第１のコンタクト、  ８  フィルタ層、  ９  第２のコンタクト、  １０  担体、  １１  光、  １１ａ  光、  １１ｂ  光、  １８  ＬＥＤチップ、  １９  フィルタエレメント、  ２０  リード、  ２１  リード、  ２２  ハウジング、  ２３  ボンディングワイヤ、  ２４  凹部、  ２５  壁部、  ２６  リード、  ２７  リード
【図１】
2005340823.tif 000003
【図２】
2005340823.tif 000004
【図３】
2005340823.tif 000005
【図４】
2005340823.tif 000006
【図５】
2005340823.tif 000007
【図６】
2005340823.tif 000008